(57)【要約】【課題】２枚の扉が閉じられた状態においてふらつくことなく、安定感良く制止させることが可能な両開き蝶番を提供する。【解決手段】前面が円弧状に膨らんだ形状を呈し、背面は扁平な形状を呈する左右一対のブロック２，３を２つのリンク４，５により回動自在に繋いで構成された両開き蝶番１であって、左右一対のブロック２，３を軸支して繋ぎ円弧状に膨らんだ前面同士が互いに向き合った状態においてＸ字状に交差する２つのリンク４，５の一方のリンク４において一方のブロック２側に一端が軸支されたリンク４の一端凹部４ａが一方のブロック２側に一端がビス止めにて設けられた板ばね９の他端凸部９ａに係合するとともに他方のブロック３側に他端が軸支されたリンク４の他端凹部４ｂが他方のブロック３側に一端がビス止めにて設けられた板ばね１０の他端凸部１０ａに係合するように構成した。【選択図】    図３
2006083558.tif 000002
【特許請求の範囲】
【請求項１】
前面が円弧状に膨らんだ形状を呈し、背面は扁平な形状を呈する左右一対のブロックを２つのリンクにより回動自在に繋いで構成され、前記扁平な背面に扉の一側部端面がねじ止めされ、２つのブロックの扁平な背面に取り付けられた２枚の扉により出入り口が閉じられた状態において２つのブロックの円弧状に膨らんだ前面同士が互いに向き合った状態となるように構成された両開き蝶番であって、左右一対のブロックを軸支して繋ぎ円弧状に膨らんだ前面同士が互いに向き合った状態においてＸ字状に交差する２つのリンクの何れか一方もしくは両方のリンクにおいて一方のブロック側に一端が軸支されたリンクの一端にばね力をもって係合する手段を有するとともに他方のブロック側に他端が軸支されたリンクの他端にばね力をもって係合する手段を有することを特徴とする両開き蝶番。
【請求項２】
左右一対のブロックの円弧状に膨らんだ前面同士が互いに向き合った状態において一方のブロック側に一端が軸支されたリンクの一端側部の凹部が一方のブロック側に一端がビス止めにて設けられた板ばねの他端凸部に係合するとともに他方のブロック側に他端が軸支されたリンクの他端側部の凹部が他方のブロック側に一端がビス止めにて設けられた板ばねの他端凸部に係合するように構成したことを特徴とする請求項１記載の両開き蝶番。
【請求項３】
左右一対のブロックの円弧状に膨らんだ前面同士が互いに向き合った状態において一方のブロック側に一端が軸支されたリンクの一端近傍の上面もしくは下面の凹部が一方のブロック側にばねにて凹部との係合方向に付勢された球面体に係合するとともに他方のブロック側に他端が軸支されたリンクの他端近傍の上面もしくは下面の凹部が他方のブロック側にばねにて凹部との係合方向に付勢された球面体に係合するように構成したことを特徴とする請求項１記載の両開き蝶番。
【請求項４】
円弧状に膨らんだ前面部をゴムなどの樹脂製弾性体により作られていることを特徴とする請求項１から３までの何れか１項記載の両開き蝶番。
【発明の詳細な説明】
【技術分野】
【０００１】
本発明は、前方からでも後方からでも２枚の扉を２つ折り自在に開くことができるように２枚の扉を繋ぐための両開き蝶番に関するものである。
【背景技術】
【０００２】
従来のこの種両開き蝶番としては特許文献１に開示されているように、一対の取付部材を一対の連結アームにより連結させて蝶番を構成したものであり、殊に両連結アームは同一の長さにして、それぞれの取付部材の対称する位置に設けた連結ピンに交差させて取り付けてなるものが知られている。
【特許文献１】特開平１１−３００６６号公報
【発明の開示】
【発明が解決しようとする課題】
【０００３】
上記特許文献１に開示されている両開き蝶番は２枚の扉を前方からでも後方からでも２枚の扉を２つ折り自在に開くことができるように繋いで使用されるものであり、２枚の扉を前後どちらから押しても２枚の扉の連結部を回動させることができるものの、２枚の扉を閉じた状態において一対の取付部材の動きを制止させる機能を具備しておらず、他の制止機構を設けなければ２枚の扉が閉じられた状態においてふらつき、安定感が悪いという問題があった。
【０００４】
本発明の目的は、このような課題を解決するものであり、２枚の扉が閉じられた状態においてふらつくことなく、安定感良く制止させることが可能な両開き蝶番を提供することにある。
【課題を解決するための手段】
【０００５】
本発明の請求項１に記載の両開き蝶番は、前面が円弧状に膨らんだ形状を呈し、背面は扁平な形状を呈する左右一対のブロックを２つのリンクにより回動自在に繋いで構成され、前記扁平な背面に扉の一側部端面がねじ止めされ、２つのブロックの扁平な背面に取り付けられた２枚の扉により出入り口が閉じられた状態において２つのブロックの円弧状に膨らんだ前面同士が互いに向き合った状態となるように構成された両開き蝶番であって、左右一対のブロックを軸支して繋ぎ円弧状に膨らんだ前面同士が互いに向き合った状態においてＸ字状に交差する２つのリンクの何れか一方もしくは両方のリンクにおいて一方のブロック側に一端が軸支されたリンクの一端にばね力をもって係合する手段を有するとともに他方のブロック側に他端が軸支されたリンクの他端にばね力をもって係合する手段を有することを特徴とする。
【０００６】
請求項２に記載の両開き蝶番は、左右一対のブロックの円弧状に膨らんだ前面同士が互いに向き合った状態において一方のブロック側に一端が軸支されたリンクの一端側部の凹部が一方のブロック側に一端がビス止めにて設けられた板ばねの他端凸部に係合するとともに他方のブロック側に他端が軸支されたリンクの他端側部の凹部が他方のブロック側に一端がビス止めにて設けられた板ばねの他端凸部に係合するように構成したことを特徴とする。
【０００７】
請求項３に記載の両開き蝶番は、左右一対のブロックの円弧状に膨らんだ前面同士が互いに向き合った状態において一方のブロック側に一端が軸支されたリンクの一端近傍の上面もしくは下面の凹部が一方のブロック側にばねにて凹部との係合方向に付勢された球面体に係合するとともに他方のブロック側に他端が軸支されたリンクの他端近傍の上面もしくは下面の凹部が他方のブロック側にばねにて凹部との係合方向に付勢された球面体に係合するように構成したことを特徴とする。
【０００８】
請求項４に記載の両開き蝶番は、円弧状に膨らんだ前面部をゴムなどの樹脂製弾性体により作られていることを特徴とする。
【発明の効果】
【０００９】
以上のように、本発明の両開き蝶番は、２枚の扉により出入り口が閉じられた状態において左右一対のブロックの円弧状に膨らんだ前面同士が互いに向き合った状態となり、左右一対のブロックを軸支して繋ぐＸ字状に交差する２つのリンクの何れか一方もしくは両方のリンクにおいて一方のブロック側に一端が軸支されたリンクの一端にばね力をもって係合する手段を有するとともに他方のブロック側に他端が軸支されたリンクの他端にばね力をもって係合する手段を有することにより、円弧状に膨らんだ前面同士が互いに向き合った状態をばね力で保持し、２枚の扉を閉塞状態で安定感良く制止させることができる。また、円弧状に膨らんだ前面部をゴムなどの樹脂製弾性体により作られていることにより、円弧状に膨らんだ前面同士が互いに向き合うように扉が閉じるとき、２つのブロック間での指詰めによる怪我を軽減させることができる。
【発明を実施するための最良の形態】
【００１０】
以下、本発明の実施の形態を、図面に基づき具体的に説明する。
先ず、図１〜図８に示す第１の実施の形態について説明すると、１は左右一対のブロック２，３を２つのリンク４，５により回動自在に繋いで構成され全体がアルミなどの金属により作られた両開き蝶番で、各ブロック２，３は前面２ａ，３ａが円弧状に膨らんだ形状を呈し、背面２ｂ，３ｂは扁平な形状を呈し、円弧状に膨らんだ前面２ａ，３ａ同士が互いに向き合った状態で扁平な背面２ｂ，３ｂに一側部端面がねじ止めされた扉６，７により出入り口８は閉じられた状態となっている。具体的には、前記ブロック２および３には上下に適当間隔をあけて前面２ａおよび３ａ側に開口する溝２ｃ，２ｄおよび３ｃ，３ｄが形成されて、上側の溝２ｃ，３ｃ内に一方のリンク４が設けられてリンク４の両端がブロック２，３に軸支され、下側の溝２ｄ，３ｄ内に他方のリンク５が設けられてリンク５の両端がブロック２，３に軸支されている。そして、上側の溝２ｃ，３ｃ内に設けられた一方のリンク４の一端側部の凹部４ａは一方のブロック２の溝２ｃの奥部に一端がビス止めにて設けられた板ばね９の他端凸部９ａに係合し、一方のリンク４の他端側部の凹部４ｂは他方のブロック３の溝３ｃの奥部に一端がビス止めにて設けられた板ばね１０の他端凸部１０ａに係合して円弧状に膨らんだ前面２ａ，３ａ同士が互いに向き合った状態をばね力で保持するようになっている。このように構成された２つの両開き蝶番１が使用されて２枚の扉６，７の上下両端における一側部端面がそれぞれ扁平な背面２ｂ，３ｂにねじ止めされている。ブロック２，３の円弧状に膨らんだ前面２ａ，３ａ同士が互いに向き合った状態において、前記２つのリンク４，５はＸ字状に交差した状態となっており、扁平な背面２ｂ，３ｂが面一状となって円弧状に膨らんだ前面２ａ，３ａが出入り口８の一方側に向いた状態と扁平な背面２ｂ，３ｂが面一状となって円弧状に膨らんだ前面２ａ，３ａが出入り口８の他方側に向いた状態との間で左右一対のブロック２，３は互いに回動自在となっている。つまり、２つのブロック２，３に取り付けられた２枚の扉６，７は出入り口８の一方側から押されて開かれ互いに重なった状態と出入り口８の他方側から押されて開かれ互いに重なった状態との間で自在に開閉できるようになっている。ところで、前記２枚の扉６，７において、一方の扉６の幅と他方の扉７の幅との比は２：１となっており、幅の狭い扉７の他側部は出入り口８の上枠側に取り付けられたレール部材１１に内蔵する軸受部材１２に上端軸部１３が、出入り口８の床面に取り付けられた軸受部材１４に下端軸部１５がそれぞれ支持されて回転可能となっている。さらに、前記２枚の扉６，７の内、幅の広い扉６の上端には前記レール部材１１の下端のレール部１１ａに載るガイドローラ１６が取り付けられて扉６はレール部材１１に吊り下げ支持されている。扉６に対するガイドローラ１６の取り付け位置は前記両開き蝶番１による連結部から前記幅の狭い扉７の幅分離れた位置に設定されている。なお、上下の両開き蝶番１，１間での扉６，７の端部間の隙間を隠すために扉６，７の端部に図５における２点鎖線で示すように樹脂製弾性材からなる目隠し材１７，１８を設けることも可能である。
【００１１】
上記構成において、２枚の扉６，７により閉じられた出入り口８を一方側または他方側から開く場合は幅の広い扉６を押すことにより幅の狭い扉７の他側部の軸支部を中心に２枚の扉６，７は回動しながら２枚の扉６，７は互いに重なった状態まで折れ曲って出入り口８が開かれる。出入り口８を閉じるときは幅の広い扉６の他側部に設けた把手（図示せず）を掴んで扉６をレール部材１１に沿ってガイドローラ１６による吊り下げ支持部を移動させることにより出入り口８が閉じられる。２枚の扉６，７により出入り口８が閉じられた状態において前記左右一対のブロック２，３の円弧状に膨らんだ前面２ａ，３ａ同士が互いに向き合った状態となり、前記一方のリンク４の一端側部の凹部４ａおよび他端側部の凹部４ｂが前記板ばね９および１０の他端凸部９ａおよび１０ａに係合して円弧状に膨らんだ前面２ａ，３ａ同士が互いに向き合った状態をばね力で保持し、２枚の扉６，７を閉塞状態で安定感良く制止させることができる。
【００１２】
ところで、図１における２点鎖線で示すように２つのブロック２，３の円弧状に膨らんだ前面部をゴムなどの樹脂製弾性体により作ることにより、円弧状に膨らんだ前面同士が互いに向き合うように２枚の扉６，７が閉じるとき、２つのブロック２，３間での指詰めによる怪我を軽減させることができる。
【００１３】
なお、上記のような２枚の扉６，７の開閉機構は特にバリアーフリーに対応させるのに好適である。また、上記の実施の形態では２枚の扉６，７の内、扉７は扉６に比べて幅が狭く作られているが、２枚の扉６，７は同じ幅の大きさであっても良い。さらに、上記の実施の形態では左右一対のブロック２，３の円弧状に膨らんだ前面２ａ，３ａ同士が互いに向き合った状態で保持する板ばね９および１０は一方のリンク４の一端側部の凹部４ａおよび他端側部の凹部４ｂに係合するようにブロック２，３の上側の溝２ｃ，３ｃ内に設けられているが、下側の溝２ｄ，３ｄ内に設けることも可能であり、さらには上下両方の溝２ｃ，３ｃ、２ｄ，３ｄ内に設けることも可能である。
【００１４】
次に、左右一対のブロック２，３の円弧状に膨らんだ前面２ａ，３ａ同士が互いに向き合った状態を保持する機構の第２の実施の形態について図９〜図１１に基づき説明すると、左右一対のブロック２，３の円弧状に膨らんだ前面２ａ，３ａ同士が互いに向き合った状態において一方のリンク４の一端近傍の上面に形成された凹部４ｃは、一方のブロック２の上面より上側の溝２ｃに貫通するように形成された孔部２ｅに嵌め込まれ上方よりばね１９により凹部４ｃとの係合方向に付勢された球面体２０と係合し、一方のリンク４の他端近傍の上面に形成された凹部（図示せず）も同様に他方のブロック３の上面より上側の溝３ｃに貫通するように形成された孔部３ｅに嵌め込まれ上方よりばねにより凹部との係合方向に付勢された球面体と係合するようになっている。なお、２１および２２は孔部２ｅおよび孔部３ｅの上端より螺入される栓体で、球面体２０やばね１９の抜け外れを防止するとともに、ばね１９力の調整を行なうようになっている。
【００１５】
ところで、この第２の実施の形態において一方のリンク４側で球面体２０を係合させるようになっているが、他方のリンク５側で球面体を係合させるようにすることも可能であり、さらには両方のリンク４，５に球面体を係合させるようにすることも可能である。
【図面の簡単な説明】
【００１６】
【図１】本発明の第１の実施の形態における両開き蝶番の円弧状に膨らんだ前面同士が互いに向き合った状態を示す斜視図である。
【図２】同両開き蝶番の扁平な背面が面一状となった状態を示す斜視図である。
【図３】同両開き蝶番の断面図である。
【図４】（Ａ）および（Ｂ）は同両開き蝶番の動作説明図である。
【図５】同両開き蝶番を用いて２枚の扉を繋いだ扉の取り付け状態を示す正面図である。
【図６】同レール部材での扉の吊り下げ部の拡大断面図である。
【図７】同２枚の扉を出入り口の一方側より開いた状態を示す斜視図である。
【図８】同２枚の扉を出入り口の他方側より開いた状態を示す斜視図である。
【図９】本発明の第２の実施の形態における両開き蝶番の円弧状に膨らんだ前面同士が互いに向き合った状態を示す斜視図である。
【図１０】同両開き蝶番の扁平な背面が面一状となった状態を示す斜視図である。
【図１１】同両開き蝶番の要部拡大断面図である。
【符号の説明】
【００１７】
１                        両開き蝶番
２，３                    ブロック
２ａ，３ａ                前面
２ｂ，３ｂ                背面
２ｃ，２ｄ，３ｃ，３ｄ    溝
２ｅ，３ｅ                孔部
４，５                    リンク
４ａ                      凹部
４ｂ                      凹部
４ｃ                      凹部
６，７                    扉
８                        出入り口
９，１０                  板ばね
９ａ，１０ａ              他端凸部
１１                        レール部材
１１ａ                      レール部
１２                        軸受部材
１３                        上端軸部
１４                        軸受部材
１５                        下端軸部
１６                        ガイドローラ
１９                        ばね
２０                        球面体
２１，２２                  栓体
【図１】
2006083558.tif 000003
【図２】
2006083558.tif 000004
【図３】
2006083558.tif 000005
【図４】
2006083558.tif 000006
【図５】
2006083558.tif 000007
【図６】
2006083558.tif 000008
【図７】
2006083558.tif 000009
【図８】
2006083558.tif 000010
【図９】
2006083558.tif 000011
【図１０】
2006083558.tif 000012
【図１１】
2006083558.tif 000013